(57)【要約】【課題】シート検知手段及び重送検知手段を構成する回路の一部を共通化することで、回路を構成する部品点数や端子数を削減して低コスト化を図ることができるシート給装装置を提供する。【解決手段】シート給送装置は、シートＬ１の搬送路を挟む位置に互いに対向配置された発光部Ｓ３−ａ及び受光部Ｓ３−ｂを有する光透過型センサＳ３と、シートＬ１の搬送路を挟む位置に互いに対向配置された発信部Ｓ４−ａ及び受信部Ｓ４−ｂを有する超音波センサＳ４と、受光部Ｓ３−ｂからの出力信号に基づいて、搬送路を搬送されるシートＬ１を検知し、受信部Ｓ４−ｂからの出力信号に基づいて、搬送路を搬送されるシートＬ１の重送を検知する制御手段Ｂ０４と、制御手段Ｂ０４による制御により発光部Ｓ３−ａ及び発信部Ｓ４−ａに対して同一の駆動信号を出力する駆動手段Ｂ０１と、を備える。【選択図】図１
2010180009.tif 000002
【特許請求の範囲】
【請求項１】
シートの搬送路を挟む位置に互いに対向配置された発光部及び受光部を有する光透過型センサと、
シートの搬送路を挟む位置に互いに対向配置された発信部及び受信部を有する超音波センサと、
前記受光部から出力される受光信号に基づいて、前記搬送路を搬送されるシートを検知し、前記受信部から出力される受信信号に基づいて、前記搬送路を搬送されるシートの重送を検知する制御手段と、
該制御手段による制御により前記発光部及び前記発信部に対して同一の駆動信号を出力する駆動手段と、を備える
ことを特徴とするシート給送装置。
【請求項２】
前記受光部から出力された信号及び前記受信部から出力された信号をそれぞれ増幅する共通の増幅手段を備える
ことを特徴とする請求項１に記載のシート給送装置。
【請求項３】
前記増幅手段から出力されたアナログ信号をデジタル信号に変換して前記制御手段に出力する変換手段を備える、
ことを特徴とする請求項２に記載のシート給送装置。
【請求項４】
前記駆動手段は、前記制御手段の制御により、前記発光部及び前記発信部に対して、前記発光部のみを駆動する信号、前記発信部のみを駆動する信号、及び前記発光部及び前記発信部の双方を駆動する信号を選択して出力する、
ことを特徴とする請求項１〜３のいずれか一項に記載のシート給送装置。
【請求項５】
シート給送装置により搬送路に給送されたシートの画像を読み取る画像読取装置であって、
前記シート給送装置として、請求項１〜４のいずれか一項に記載のシート給送装置を用いる、
ことを特徴とする画像読取装置。
【発明の詳細な説明】
【技術分野】
【０００１】
本発明は、スキャナ等の画像読取装置、或いはプリンタやファクシミリ、複写機等の画像形成装置等に搭載されるシート給送装置、及び該シート給送装置を備える画像読取装置に関する。
【背景技術】
【０００２】
従来のこの種のシート給送装置として、図１０に示すように、シートＬ１が搬送されていることを光透過型センサＳ３を利用して検知し、また、シートＬ１の重送を超音波センサＳ４を利用して検知するものがある（特許文献１）。
【０００３】
光透過型センサＳ３は、シートＬ１の搬送路を挟む位置に互いに対向配置された発光器Ｓ３−ａ及び受光器Ｓ３−ｂを備え、超音波センサＳ４は、シートＬ１の搬送路を挟む位置に互いに対向配置された発信器Ｓ４−ａ及び受信器Ｓ４−ｂを備える。
【０００４】
光透過型センサＳ３の発光器Ｓ３−ａから照射された光は、搬送路にシートＬ１が存在するときには、シートＬ１を透過せず、搬送路にシートＬ１が存在しないときには、受光器Ｓ３−ｂにより受光される。
【０００５】
制御回路Ａ０７は、発光器駆動回路Ａ０２に発光信号を供給して発光器Ｓ３−ａを発光させると共に、発光光量を制御する。発光器Ｓ３−ａより照射された光が受光器Ｓ３−ｂに受光された際に受光器Ｓ３−ｂが出力する信号は、非常に微小であるため、出力信号はアンプ回路Ａ０３により増幅され、光透過光量の差異が解析できる信号レベルに引き上げられる。アンプ回路Ａ０３によって増幅されたアナログ信号は、Ａ／Ｄ変換器Ａ０５によりデジタル信号に変換され、制御回路Ａ０７に出力される。
【０００６】
制御回路Ａ０７は、発光駆動回路Ａ０２を介して発光器Ｓ３−ａに対して図１１に示す波形Ｐの発光信号を出力する。また、発光器Ｓ３−ａから照射された光を受光器Ｓ３−ｂが受光した際に出力する信号は、アンプ回路Ａ０３で増幅されて、図１１に示す受光信号ＱとしてＡ／Ｄ変換器Ａ０５を介して制御回路Ａ０７に出力される。
【０００７】
そして、搬送されるシートＬ１が発光器Ｓ３−ａと受光器Ｓ３−ｂの間に到達すると、受光信号Ｑは大きく減衰し、制御回路Ａ０７は、受光信号の減衰量に基づき、シートＬ１の紙端およびシートＬ１の有無を検知する。
【０００８】
また、超音波センサＳ４の発信器Ｓ４−ａから発信された超音波は、搬送路にシートＬ１が存在するときには、シートＬ１を透過して受信器Ｓ４−ｂにより受信され、搬送路にシートＬ１が存在しないときには、受信器Ｓ４−ｂにより直接受信される。
【０００９】
制御回路Ａ０７は、例えば３００ＫＨｚの周期のパルス信号を超音波発信器駆動回路Ａ０１に供給し、発信器Ｓ４−ａは、超音波発信器駆動回路Ａ０１により増幅されたパルス信号に基づき、３００ＫＨｚの超音波を発信する。
【００１０】
発信器Ｓ４−ａと受信器Ｓ４−ｂの間にシートＬ１が到達すると、発信器Ｓ４−ａから発信された超音波は受信器Ｓ４−ｂに到達するまでに減衰してしまう。このため、超音波を受信した受信器Ｓ４−ｂから出力される信号は、アンプ回路Ａ０４によって増幅されて、重送検知判断の可能な信号振幅に引き上げられる。アンプ回路Ａ０４によって増幅されたアナログの受信信号は、Ａ／Ｄ変換器Ａ０６によりデジタル信号に変換されて、制御回路Ａ０７に出力される。
【００１１】
制御回路Ａ０７は、超音波発信駆動回路Ａ０１を介して発信器Ｓ４−ａへ図１２に示す波形Ｒの超音波の発信信号を出力する。その後、発信信号から音速分遅れた時間ｙ後に受信器Ｓ４−ｂで受信されてアンプ回路Ａ０４で増幅された図１２に示す波形Ｓの受信信号が、Ａ／Ｄ変換器Ａ０６を介して制御回路Ａ０７に出力される。
【００１２】
シートＬ１が重送して搬送路を搬送された際には、シートＬ１の重なり部分の空気層によって受信器Ｓ４−ｂに到達する超音波は大きく減衰するため、制御回路Ａ０７は、超音波の受信信号の減衰量を基づき、シートＬ１の重送の有無を検知する。
【先行技術文献】
【特許文献】
【００１３】
【特許文献１】特開２００４−２３１４０３号公報
【発明の概要】
【発明が解決しようとする課題】
【００１４】
しかし、上記従来のシート給送装置では、光透過型センサＳ３と制御回路Ａ０７との間、及び超音波センサＳ４と制御回路Ａ０７との間にそれぞれ専用の回路が必要となるため、回路を構成する部品点数や端子数が増加し、低コスト化を妨げる原因になる。
【００１５】
そこで、本発明は、シート検知手段及び重送検知手段を構成する回路の一部を共通化することで、回路を構成する部品点数や端子数を削減して低コスト化を図ることができるシート給装装置及び該シート給送装置を備える画像読取装置を提供することを目的とする。
【課題を解決するための手段】
【００１６】
上記目的を達成するために、本発明のシート給送装置は、シートの搬送路を挟む位置に互いに対向配置された発光部及び受光部を有する光透過型センサと、シートの搬送路を挟む位置に互いに対向配置された発信部及び受信部を有する超音波センサと、前記受光部から出力される受光信号に基づいて、前記搬送路を搬送されるシートを検知し、前記受信部から出力される受信信号に基づいて、前記搬送路を搬送されるシートの重送を検知する制御手段と、該制御手段による制御により前記発光部及び前記発信部に対して同一の駆動信号を出力する駆動手段と、を備えることを特徴とする。
【００１７】
本発明の画像読取装置は、シート給送装置により搬送路に給送されたシートの画像を読み取る画像読取装置であって、前記シート給送装置として、請求項１〜４のいずれか一項に記載のシート給送装置を用いることを特徴とする。
【発明の効果】
【００１８】
本発明によれば、シート検知手段及び重送検知手段を構成する回路の一部を共通化することができるので、回路を構成する部品点数や端子数を削減して低コスト化を図ることができる。
【図面の簡単な説明】
【００１９】
【図１】本発明の実施形態の一例であるシート給送装置を説明するためのブロック図である。
【図２】シート検知手段及び重送検知手段の回路構成例を示す図である。
【図３】発光器及び発信器に対する駆動信号の波形と受光器及び受信器から制御回路に出力される信号の波形一例を示す図である。
【図４】駆動回路の一例を示す図である。実施例１における駆動回路構成図である。
【図５】制御回路から駆動回路に駆動信号が出力された際に該駆動回路から発光器に対して出力される信号波形を示す図である。
【図６】制御回路から駆動回路に駆動信号が出力された際に該駆動回路から発光器に対して出力される信号波形を示す図である。
【図７】シート検知手段のみを駆動させる際の駆動信号の波形例を示す図である。
【図８】重送検知手段のみを駆動させる際の駆動信号の波形例を示す図である。
【図９】同一の駆動信号でシート検知手段及び超音波重送検知手段の双方を駆動させる際の駆動信号の波形例を示す図である。
【図１０】従来のシート給送装置を説明するためのブロック図である。
【図１１】発光信号及び受光信号の波形例を示す図である。
【図１２】発信信号及び受信信号の波形例を示す図である。
【発明を実施するための形態】
【００２０】
以下、本発明の実施形態の一例を図面を参照して説明する。
【００２１】
図１は、本発明の実施形態の一例であるシート給送装置を説明するためのブロック図である。なお、本実施形態では、スキャナ等の画像読取装置、或いはプリンタやファクシミリ、複写機等の画像形成装置等に搭載されるシート給送装置を例に採るが、これに限定されない。
【００２２】
本実施形態のシート給送装置は、図１に示すように、シートＬ１が搬送されていることを光透過型センサＳ３を利用して検知するシート検知手段と、シートＬ１の重送を超音波センサＳ４を利用して検知する重送検知手段と、を備える。
【００２３】
光透過型センサＳ３は、シートＬ１の搬送路を挟む位置に互いに対向配置された発光器（発光部Ｓ）３−ａ及び受光器（受光部）Ｓ３−ｂを備える。超音波センサＳ４は、シートＬ１の搬送路を挟む位置に互いに対向配置された発信器（発信部）Ｓ４−ａ及び受信器（受信部）Ｓ４−ｂを備える。
【００２４】
光透過型センサＳ３の発光器Ｓ３−ａと超音波センサＳ４の発信器Ｓ４−ａとは、共通の駆動回路Ｂ０１を介して制御回路Ｂ０４に接続される。また、光透過型センサＳ３の受光器Ｓ３−ｂと超音波センサＳ４の受信器Ｓ４−ｂとは、共通のアンプ回路Ｂ０２及び共通のＡ／Ｄ変換器Ｂ０３を介して制御回路Ｂ０４に接続される。
【００２５】
制御回路Ｂ０４は、駆動回路Ｂ０１に駆動用信号を供給して発光器Ｓ３−ａおよび発信器Ｓ４−ａを駆動させ、これにより、発光器Ｓ３−ａから光が照射され、また、発信器Ｓ４−ａから超音波が発信される。
【００２６】
発光器Ｓ３−ａより照射された光が受光器Ｓ３−ｂに到達した際に該受光器Ｓ３−ｂが出力する信号、および発信器Ｓ４−ａから発信された超音波が受信器Ｓ４−ｂに到達した際に該受信器Ｓ４−ｂが出力する信号は、非常に微小である。
【００２７】
このため、受光器Ｓ３−ｂが出力された信号、及び受信器Ｓ４−ｂから出力された信号は、共通のアンプ回路Ｂ０２を介して増幅されて、シートの検知や重送の検知が行える信号レベルに引き上げられる。アンプ回路Ｂ０２によって増幅されたアナログ信号は、Ａ／Ｄ変換器Ｂ０３によりデジタル信号に変換されて制御回路Ｂ０４に出力される。
【００２８】
図２は、シート検知手段及び重送検知手段の回路構成例を示す図である。
【００２９】
制御回路Ｂ０４から駆動回路Ｂ０１を介して発光器Ｓ３−ａ及び発信器Ｓ４−ａに駆動信号が出力されると、発光器Ｓ３−ａ及び発信器Ｓ４−ａからは図３に示す出力波形が得られる。
【００３０】
図３に示すように、発光器Ｓ３−ａ及び発信器Ｓ４−ａは、制御回路Ｂ０４がシートの検知及び重送の検知を行うための信号レベルを得るために必要とする駆動信号の出力回数が異なる。例えば、発光器Ｓ３−ａでは１回の駆動信号を必要とするのに対し、発信器Ｓ４−ａでは５回の駆動信号を必要とする。
【００３１】
そのため、本実施形態では、駆動回路Ｂ０１は、発光器Ｓ３−ａ及び発信器Ｓ４−ａに適した回数の駆動信号を出力できるようになっている。
【００３２】
制御回路Ｂ０４は、駆動回路Ｂ０１を介して発光器Ｓ３−ａに対して図３に示す波形３０３ａの信号を出力すると共に、発信器Ｓ４−ａに対して図３に示す波形３０４ｂの信号を出力する。受光器Ｓ３−ｂから出力された信号、及び受信器Ｓ４−ｂから出力された信号は、それぞれ共通のアンプ回路Ｂ０２で増幅される。アンプ回路Ｂ０２で増幅された受光信号３０３ｂ及び受信信号３０４ｂは、共通のＡ／Ｄ変換器Ｂ０３を介して制御回路Ｂ０４に出力される。
【００３３】
この際、発光器Ｓ３−ａ及び発信器Ｓ４−ａは、同一の駆動信号により駆動される。従って、発光及び発信の駆動タイミングが同じとなるが、発光器Ｓ３−ａからの光が受光器Ｓ３−ｂに到達するタイミングと発信器Ｓ４−ａからの超音波が受信器Ｓ４−ｂに到達するタイミングは、図３に示すように、一定の時間差ｚが生じる。このため、シート検知手段及び重送検知手段において、駆動回路Ｂ０１、アンプ回路Ｂ０２、及びＡ／Ｄ変換器Ｂ０３を共通としても、受光器Ｓ３−ｂ及び受信器Ｓ４−ｂからの出力信号が互いに影響を与える事が無い。
【００３４】
そして、搬送されるシートＬ１が発光器Ｓ３−ａと受光器Ｓ３−ｂの間に到達すると、受光信号３０３ｂは大きく減衰し、制御回路Ｂ０４は、受光信号３０３ｂの減衰量に基づき、シートＬ１の紙端およびシートＬ１の有無を検知する。また、シートＬ１が重送して搬送路を搬送された際には、シートＬ１の重なり部分の空気層によって受信器Ｓ４−ｂに到達する超音波は大きく減衰するため、制御回路Ｂ０４は、超音波の受信信号３０４ｂの減衰量に基づき、シートＬ１の重送の有無を検知する。
【００３５】
図４は、駆動回路Ｂ０１の一例を示す図である。図５及び図６は、図４の駆動回路Ｂ０１に制御回路Ｂ０４から出力された駆動信号が入力された際の発光器Ｓ３−ａに対する出力信号の波形を示す図である。
【００３６】
図５の時間帯Ｔ１において、制御回路Ｂ０４から図４に示す駆動回路Ｂ０１の入力部９ａにＬｏｗ信号５０９ａが出力されたとき、図４の反転部９ｂではＬｏｗ信号５０９ａを反転したＨｉｇｈ信号５０９ｂが出力される。このとき、出力部９ｃからも反転部９ｂと同様にＨｉｇｈ信号５０９ｃが出力され、入力部９ａと出力部９ｃとからの信号の論理積の結果が論理積部９ｄからＬｏｗ信号５０９ｄとして発光器Ｓ３−ａに出力される。
【００３７】
時間帯Ｔ２では、図４に示す駆動回路Ｂ０１の入力部９ａには、制御回路Ｂ０４からＨｉｇｈ信号５０９ａが出力され、それにより、反転部９ｂではＬｏｗ信号５０９ｂが出力される。ここで、出力部９ｃにはコンデンサが配置されているので、信号レベルが反転部９ｂよりも緩やかにＬｏｗレベル側で変化するため、信号５０９ｃの信号判定としてはＨｉｇｈ信号判定となる。結果として、時間帯Ｔ２では入力部９ａと出力部９ｃでの信号レベルは共にＨｉｇｈ信号となるため、論理積部９ｄからはＨｉｇｈ信号５０９ｄが出力されることになる。これにより、駆動回路Ｂ０１から発光器Ｓ３−ａに駆動信号が出力され、発光器Ｓ３−ａから光が照射される。
【００３８】
時間帯Ｔ３では、入力部９ａでの信号レベル５０９ａ及び反転部９ｂでの信号レベル５０９ｂは、時間帯Ｔ２と同じとなる。出力部９ｃでは、図５に示すように、Ｌｏｗ信号判定領域に入り、信号レベルがそのまま緩やかに変化して、コンデンサに蓄積された容量が放出され、信号レベル５０９ｃは完全にＬｏｗ信号となる。この結果、論理積部９ｄからはＬｏｗ信号５０９ｄが出力される。これにより、駆動回路Ｂ０１から発光器Ｓ３−ａへの駆動信号が出力されなくなり、発光器Ｓ３−ａは消灯する。
【００３９】
そして、時間帯Ｔ４では、入力部９ａに制御回路Ｂ０４からＬｏｗ信号５０９ａが出力され、それにより、反転部９ｂではＨｉｇｈ信号５０９ｂが出力される。このとき、出力部９ｃにおいては信号レベルがＨｉｇｈレベルとなるが、まず、コンデンサに電荷が蓄積されていくため、図５に示すように、信号レベルは緩やかにＨｉｇｈ信号レベルの方へ変化し、論理積部９ｄからはＬｏｗ信号５０９ｄが出力される。
【００４０】
時間帯Ｔ５では、入力部９ａ及び反転部９ｂでの信号レベル５０９ａ，５０９ｂは、時間帯Ｔ４と同じとなる。このとき、出力部９ｃにおいては、時間帯Ｔ４と同様に信号レベルはＨｉｇｈレベルになろうとするが、コンデンサへの電荷の蓄積が行われることにより、信号レベルは緩やかに変化するため、信号判定レベルとしてはＬｏｗ信号判定となる。結果として、論理積部９ｄからはＬｏｗ信号５０９ｄが出力される。
【００４１】
時間帯Ｔ６では、制御回路Ｂ０４から入力部９ａにＨｉｇｈ信号５０９ａが出力され、それにより、反転部９ｂからはＬｏｗ信号５０９ｂが出力される。これにより、出力部９ｃからの信号もＬｏｗレベルへと変化するが、コンデンサに蓄積された容量があるため、信号レベルは緩やかにＬｏｗへと変化する。結果として、論理積部９ｄからは時間帯Ｔ５から継続してＬｏｗ信号５０９ｄが出力される。
【００４２】
時間帯Ｔ７では、前述した時間帯Ｔ３と同様の動作を行い、時間帯Ｔ８においても、前述した時間帯Ｔ４と同様の動作を行う。
【００４３】
図５に示すように、制御回路Ｂ０４から入力部９ａに一定間隔の信号５０９ａが出力され続けた場合、論理積部９ｄからは時間帯Ｔ２でのみＨｉｇｈ信号５０９ｄが出力される。それ以降、発光器Ｓ３−ａは消灯し続けることになり、発信器Ｓ４−ａに対してのみに駆動信号５０９ａが出力されることになる。
【００４４】
次に、図６を参照して、制御回路Ｂ０４から駆動回路Ｂ０１の入力部９ａに出力される信号が図５に対して反転している場合について説明する。
【００４５】
図６の時間帯Ｔ１において、制御回路Ｂ０４から駆動回路Ｂ０１の入力部９ａにＨｉｇｈ信号６０９ａが出力されたとき、反転部９ｂではＨｉｇｈ信号６０９ａを反転したＬｏｗ信号６０９ｂが出力される。このとき、出力部９ｃからも反転部９ｂと同様にＬｏｗ信号６０９ｃが出力され、入力部９ａと出力部９ｃとからの信号の論理積の結果が論理積部９ｄからＬｏｗ信号６０９ｄとして発光器Ｓ３−ａに出力される。
【００４６】
時間帯Ｔ２では、制御回路Ｂ０４から入力部９ａにＬｏｗ信号６０９ａが出力され、それにより、反転部９ｂからはＨｉｇｈ信号６０９ｂが出力される。ここで出力部９ｃにはコンデンサが配置されているため、まず、コンデンサに電荷が蓄積されて、信号レベルは緩やかにＨｉｇｈ信号レベル側へ変化する。この際、信号判定レベルとしてはＬｏｗ信号判定となるため、結果として論理積部９ｄからはＬｏｗ信号６０９ｄが出力される。
【００４７】
時間帯Ｔ３では、入力部９ａ及び反転部９ｂでの信号レベルは、時間帯Ｔ２と同じとなる。出力部９ｃにおいては、図６に示すように、緩やかにＨｉｇｈ信号レベル側へ変化し続けていくが、信号判定レベルがＨｉｇｈ信号レベルに到達しないため、結果として、論理積部９ｄからは時間帯Ｔ２と同様にＬｏｗ信号６０９ｄが出力される。
【００４８】
そして、時間帯Ｔ４では、制御回路Ｂ０４から入力部９ａにＨｉｇｈ信号６０９ａが出力され、それにより、反転部９ｂからはＬｏｗ信号６０９ｂが出力される。このとき、出力部９ｃでは、コンデンサに蓄積された電荷が放出されながら信号が変化していくため、緩やかにＬｏｗ信号レベルの方へ変化する。結果として、論理積部９ｄからはＬｏｗ信号６０９ｄが出力されることになる。
【００４９】
時間帯Ｔ５では、入力部９ａ及び反転部９ｂでの信号レベルは時間帯Ｔ４と同じとなるが、出力部９ｃにおいては、コンデンサに蓄積された電荷が放出されながら信号が変化していくため、図６に示すように、緩やかにＬｏｗ信号レベル側へ変化する。結果として、論理積部９ｄからはＬｏｗ信号６０９ｄが出力される。
【００５０】
時間帯Ｔ６から時間帯Ｔ８では、前述した時間帯Ｔ２から時間帯Ｔ４と同様の動作を行う。
【００５１】
制御回路Ｂ０４から入力部９ａに図６に示す信号６０９ａが出力され続けた場合、発光器Ｓ３−ａは消灯し続けることになり、駆動回路Ｂ０１から発信器Ｓ４−ａにのみ信号が出力されることになる。
【００５２】
図５及び図６の動作から、制御回路Ｂ０４から駆動回路Ｂ０１に出力される駆動信号によってシート検知手段と重送検知手段とを任意に選択して動作させることができる。
【００５３】
シート検知手段のみを動作させる場合、制御回路Ｂ０４から駆動回路Ｂ０１に図７に示す駆動信号７０９ａを出力することで、駆動回路Ｂ０１から発光器Ｓ３−ａに対して駆動に必要な信号７０９ｄが出力される。一方、駆動回路Ｂ０１から発信器Ｓ４−ａに対して出力される信号７１９ａは駆動に十分に必要な信号ではないため、結果として、シート検知手段のみを動作させることができる。なお、図７において、信号７０９ａは入力部９ａ、信号７０９ｂは反転部９ｃ、信号７０９ｃは出力部９ｃ、信号７０９ｄは論理積部９ｄにそれぞれ対応する。
【００５４】
重送検知手段のみを動作させる場合は、図６で述べた理由から、制御回路Ｂ０４から駆動回路Ｂ０１に図８に示す駆動信号８０９ａを出力することで、駆動回路Ｂ０１から発信器Ｓ４−ａに対して駆動に必要な信号８１９ａが出力される。一方、駆動回路Ｂ０１から発光器Ｓ３−ａに対しては信号８０９ａが出力されないため、結果として、重送検知手段のみを動作させることができる。なお、図８において、信号８０９ａは入力部９ａ、信号８０９ｂは反転部９ｃ、信号８０９ｃは出力部９ｃ、信号８０９ｄは論理積部９ｄにそれぞれ対応する。
【００５５】
また、制御回路Ｂ０４から駆動回路Ｂ０１に図９に示す駆動信号９０９ａを出力することで、駆動回路Ｂ０１から発光器Ｓ３−ａ及び発信器Ｓ４−ａの双方に対してそれぞれ駆動に必要な信号９０９ｄ及び信号９１９ａを出力することができる。なお、図９において、信号９０９ａは入力部９ａ、信号９０９ｂは反転部９ｃ、信号９０９ｃは出力部９ｃ、信号９０９ｄは論理積部９ｄにそれぞれ対応する。
【００５６】
以上説明したように、本実施形態では、シート検知手段及び重送検知手段において、駆動回路Ｂ０１、アンプ回路Ｂ０２、及びＡ／Ｄ変換器Ｂ０３を共通化することができるので、回路を構成する部品点数や端子数を削減して低コスト化を図ることができる。
【００５７】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５８】
Ｌ１      シート
Ｓ３      光透過型センサ
Ｓ３−ａ  発光器
Ｓ３−ｂ  受光器
Ｓ４      超音波センサ
Ｓ４−ａ  発信器
Ｓ４−ｂ  受信器
Ｂ０１    駆動回路
Ｂ０２    アンプ回路
Ｂ０３    Ａ／Ｄ変換器
Ｂ０４    制御回路
【図１】
2010180009.tif 000003
【図２】
2010180009.tif 000004
【図３】
2010180009.tif 000005
【図４】
2010180009.tif 000006
【図５】
2010180009.tif 000007
【図６】
2010180009.tif 000008
【図７】
2010180009.tif 000009
【図８】
2010180009.tif 000010
【図９】
2010180009.tif 000011
【図１０】
2010180009.tif 000012
【図１１】
2010180009.tif 000013
【図１２】
2010180009.tif 000014